(57)【要約】      （修正有）【課題】毎日使用する衣類は正面の扉を開くことによって出し入れの容易な収納部に収納し、その季節に適合せず使用することのない衣類は出し入れが比較的面倒な後方の可動体に収納し、季節の変わり目に衣類の交換を容易に行なうことができる収納家具を提供することを目的とする。【解決手段】家具本体２と可動体１とを有し、該可動体１は家具本体２の側方から出し入れ自在である衣類の収納家具において、家具本体２は正面に扉３を備え、収納家具の一方の側板は前後２つに分離され、前方の側板は家具本体２の側板４であり、後方の側板は可動体１の側板８であって、前記扉３の内側に正面収納部が形成され、前記可動体１は前記正面収納部の後方で横方向に移動可能となるように取り付けられており、且つ可動体１の少なくとも正面側部分は開放されている【選択図】  図１
2004202063.tif 000002
【特許請求の範囲】
【請求項１】
家具本体と可動体とを有し、該可動体は家具本体の側方から出し入れ自在である衣類の収納家具において、家具本体は正面に扉を備え、収納家具の一方の側板は前後２つに分離され、前方の側板は家具本体の側板であり、後方の側板は可動体の側板であって、前記扉の内側に正面収納部が形成され、前記可動体は前記正面収納部の後方で横方向に移動可能となるように取り付けられており、且つ可動体の少なくとも正面側部分は開放されていることを特徴とする収納家具
【発明の詳細な説明】
【０００１】
【発明の属する技術分野】
本発明は、衣類を収納するための収納家具に関する。
【０００２】
【従来の技術】
箪笥本体の中に出し入れ自在の可動体を有し、衣類の取り出し等の際に可動体を引き出して使用する箪笥は従来から存在している（例えば、特許文献１）。
【０００３】
【特許文献１】
特開平１１−３１８５９４号公報
【０００４】
【発明が解決しようとする課題】
特許文献１の箪笥は、使用する都度、可動体を引き出す構成である。可動体に吊り下げられている衣類の数が少ないときは比較的容易に可動体を移動させることができるが、衣類の数が多いときあるいは衣類の重量が大きいときは可動体を移動させるときに大きな力が必要であり、婦女子や高齢者にとって困難な作業となる。また、箪笥は毎日使用するものであるから、扉を開閉するだけで衣類の出し入れができる洋服箪笥に比べて、可動体を一定距離だけいちいち移動することは手間がかかり面倒である。すなわち、毎日取り替えながら使用する衣類は開閉式の扉の中に収納し、季節に適合しない衣類は可動体に収納することが便利である。そこで、本発明は毎日使用する衣類は正面の扉を開くことによって出し入れの容易な収納部に収納し、その季節に適合せず使用することのない衣類は出し入れが比較的面倒な後方の可動体に収納し、季節の変わり目に衣類の交換を容易に行なうことができる収納家具を提供することを目的とする。
【０００５】
また、クロゼットの中には、２本のハンガー吊り下げ用パイプを手前と後方に平行に並べて取り付けたものがある。しかし、後方のパイプに下げた衣類は手前の衣類が邪魔になって出し入れが面倒である。そこで、本発明は後側の収納部である可動体を家具本体から引き出すことによって、手前の衣類に邪魔されることなく収納家具の後側に収納されている衣類を出し入れすることができる収納家具を提供することを目的とする。
【０００６】
【課題を解決するための手段】
本発明の構成は、家具本体と可動体とを有し、該可動体は家具本体の側方から出し入れ自在である衣類の収納家具において、家具本体は正面に扉を備え、収納家具の一方の側板は前後２つに分離され、前方の側板は家具本体の側板であり、後方の側板は可動体の側板であって、前記扉の内側に正面収納部が形成され、前記可動体は前記正面収納部の後方で横方向に移動可能となるように取り付けられており、且つ可動体の少なくとも正面側部分は開放されている。
【０００７】
【発明の効果】
本発明は以上のような構成であって、家具本体は正面に扉を備え、収納家具の一方の側板は前後２つに分離され、前方の側板は家具本体の側板であり、後方の側板は可動体の側板であって、前記扉の内側に正面収納部が形成され、前記可動体は前記正面収納部の後方で横方向に移動可能となるように取り付けられており、且つ可動体の少なくとも正面側部分は開放されている。したがって、例えば夏の季節には、夏用の衣類は正面収納部に収納しておくことによって、毎日行なう衣類の出し入れは正面の扉の開閉によって通常の洋服箪笥のように容易に行なうことができる。これは、可動体の収納部が正面収納部よりも後にあるから可能なことである。そして、冬用の衣類は可動体に収納しておくことができるから、冬物と夏物を交換するときにだけ可動体を引き出して交換することができる。その際、正面収納部と可動体は近接しているから、衣類を持ち運ぶ手間がかからず簡単に衣類を交換することができる。このように、本発明は頻繁に使用する衣類と当面は使用しない衣類とを一緒に収納することができ、それらの衣類に合った出し入れを行なうことができる。
【０００８】
さらに、通常の収納家具に２本のハンガーパイプを手前と後方に平行に並べて取り付けたときは、後方のパイプに下げた衣類は手前の衣類が邪魔になって出し入れが面倒である。本発明は後側の収納部である可動体を家具本体から引き出すことによって、手前の衣類に邪魔されることなく収納家具の後側に収納されている衣類を出し入れすることができる。
【０００９】
本発明は単に部屋の中に配置して使用するだけではない。家を新築する際、あるいはリフォームの際に部屋と廊下を仕切る壁に可動体が通過できる開放口を造っておき、その開放口に可動体の側板を宛がうように収納家具を配置して使用することができる。このように配置したときは、本発明は頻繁に使用する衣類を正面収納部と可動体に前後に並べて収納し、前後いずれの衣類でも容易に出し入れすることができるから、狭い部屋でも使用することができる。
【００１０】
また、本発明をクロゼットの中に収まるように配置することができる。この場合もクロゼットと廊下の間の壁に通路を形成して可動体を出し入れする構成とする。これによって、クロゼット内の収納家具に前後二列に下げられた後方の衣類を容易に出し入れすることができるから、クロゼットを使い勝手の良いものにすることができる。
【００１１】
【発明の実施の形態】
次に本発明の実施の形態を図面に従って説明する。可動体１は衣類を収納、すなわち衣類をハンガーに掛けたり棚を設けて衣類を置いておくこと等ができる。図１は可動体１を家具本体２から出した状態を示しているが、可動体１を家具本体２に入れたときは、やや奥行きのある洋服箪笥とほぼ同じ形状である。家具本体２は、正面に観音開きの扉３，３が取り付けられており、扉３を開いたときに正面収納部が表れる構成である。正面収納部はその後ろの可動体の収納部１６に通じている。正面収納部にはハンガーパイプを取り付けてもよいし、フックを取り付けてもよい。その他の衣類収納装置を取り付けてもよいことは勿論である。家具本体２の一方の側板４は、家具本体２の側部全体の前半部を覆っている。したがって、側部の後半部に開放口５が存在する。
【００１２】
可動体１は、図１及び図２に示すように上板６と下板７及び側板８，９で構成されており、扉３方向を向く正面側部分及び背面側部分のいずれもが開放され、２本のハンガーパイプ１０，１０が横方向に取り付けられている。可動体１の背面側に横板１１が取り付けられ、横板１１と家具本体の背面板１３の間にスライドレール１２が取り付けられ、可動体１は円滑に移動することができる。可動体１の補強のために横板１１の下方にさらに別の横板１７が取り付けられている。また、家具本体の台輪１５と可動体の底面の間にスライドレール１４、１４が取り付けられていて可動体１を楽に移動することができる。
【００１３】
可動体１の底部の両側であって側板８の内側に一対の車輪１８が装着されており、前述したスライドレール１４，１４と相俟って可動体１の移動を一層楽に行なうことができる。側板８には取っ手１９が取り付けられていて、可動体１を引き出すときに便利である。また、可動体１を家具本体２に完全に入れたときに、家具本体の側板４と可動体の側板８が面一になるように、開放口の縁部２０は側板４よりも側板の厚みだけ引っ込んでいる。可動体１が接する台輪１５の縁部２１は開放口の縁部２０よりもさらに引っ込んでいて、これは、車輪１８を納めるためである。可動体１を引き出したときに出過ぎて可動体１が家具本体２から外れないようにストッパー（図示せず。）が設けられている。ストッパーは例えば家具本体の背面部１３の内面に突起を設ける。これによって、ストッパーが可動体の奥の側板９に当たることにより可動体１の出過ぎを防ぐことができる。なお、ストッパーは下方に設けることにより衣類との接触を防止できる。
【００１４】
本発明は、広い部屋で使用するときはそのまま配置して使用することができる。前述したように、部屋が狭いときは廊下に接する壁の脇に配置し、可動体を廊下に引き出すことができるように壁に通路を設けて使用することができる。また、クロゼット内に配置し、廊下に接するクロゼットの壁に可動体を廊下に出すための通路を設けて使用することができる。
【図面の簡単な説明】
【図１】本発明を正面側から見た斜視図
【図２】本発明を背面側から見た斜視図
【図３】家具本体に可動体が入っている状態を示す内面図
【符号の説明】
１  可動体
２  家具本体
３  扉
４  側板
５  開放口
６  上板
７  下板
８  側板
９  側板
１０  ハンガーパイプ
１１  横板
１２  スライドレール
１３  背面板
１４  スライドレール
１５  台輪
１６  収納部
１７  横板
１８  車輪
１９  取っ手
２０  縁部
２１  縁部
【図１】
2004202063.tif 000003
【図２】
2004202063.tif 000004
【図３】
2004202063.tif 000005